Podtech/llm-jp-corpus-v4-ja_patent huggingface dataset:
(57)【要約】【課題】    本発明は、結束バンドに自動係止装置を備えた基盤を取り付けハンドルを取付け、嵩物や結束の必要な複数荷物をワンタッチで結束しハンドキャリーを可能にする。【解決手段】本発明は、結束バンド４に自動係止装置である基盤本体２を取り付ける、その基盤２はハンドル１と結束バンド４の始点があるＡブロックと、バンド４の最初の挿入口のあるＢブロック２ａからなり、両ブロックは上部で蝶番３により連結されている、結束バンド４で結束物を一周巻きし両ブロックを通過させ、バンド４を引くと結束が完了し、同時にＢブロック２ａはＡブロックに蝶番を中心に回転引き寄せられ、両ブロックに段差を付けて渡されたバンド４を圧迫し自動係止する。更にハンドル１で全体を持ち上げると、荷重により両ブロックのバンド４への圧迫力が増大し係止力は更に強化される。このように基盤本体２の機能により結束と係止が自動的に達成され。ワンタッチの動作で結束物を結束し運搬できる状態が達成される。【選択図】図３
2007326635.tif 000002
【特許請求の範囲】
【請求項１】
持ち運びのためのハンドル、ハンドルを支持する基盤本体、その基盤本体の片側側面には結束用バンドが装着されている。その結束バンドは一周して基盤反対側のバンド挿入口から入り基盤内部を通過して引出し口から引出される基盤本体の２枚の板による蝶番結合構造がバンドを圧迫する原理によりバンド長の調整と自動係止をするハンドル付結束バンド
【発明の詳細な説明】
【技術分野】
【０００１】  本発明は、結束バンドに自動係止機能を付けた基盤を取り付けハンドルを装着したハンドル付結束バンドに関するものである。
【背景技術】
【０００２】  鞄やトランクに収納できない不定形な物や嵩張るものを手で運ぼうとする場合、予め梱包したり紐やロープで結束した上で把手を取り付けて持ちやすいように加工しなければならず手間が掛かる上に、把手が安定しないなどの不備があった。
また、根幹となる結束帯の係止機能については、従来結束帯同士の摩擦を利用する形式が多く、そのために器具に巻き付ける作業が煩雑であり、係止力も強くない。
【特許文献１】  実開平３−７１７７２号公報
【特許文献２】  実開平５−７０３２２号公報
【特許文献３】  実用新案登録第３１１４８７３号
【発明の開示】
【発明が解決しようする課題】
【０００３】  家電販売店など大型店では大箱の荷物に対して、紐掛け機で一旦結束した上で把手を付けて加工しているが、紐掛け機は高価な上に、スペースも必要である。従って、結束バンドに自動係止機能のある基盤とハンドルを取り付け一体化することで、前述の問題点を解決しようとするものである。
【課題を解決するための手段】
【０００４】  本発明は、基盤部分つまり結束用バンドとハンドルが一体になったブロックと、結束バンドの挿入口のあるブロック、この両ブロックを蝶番で連結し、蝶番によるブロック相互の開閉動作と結束バンド自体のテンションにより、結束バンドを捕捉し調整し解放するという独自の自動係止機能を基盤本体に備えた。これにより、バンドを結束物に廻し渡し引くというワンタッチ動作でハンドルを持って結束物を運ぶ状態にできることで問題点を解決している。
【発明の効果】
【０００５】  ビジネスや日常の買物の際に、嵩物や不定形な物又はそれらの集合を手で持って運ぶ必要性に迫られた場合、予め梱包したり紐を掛けたりした上でハンドル状の物を取り付けるなど手間が掛かる上に、しっかり結束できないなどの不都合な状況にある。
つまり結束機能とハンドルは分離された状況にあり、両者を結合させた例は見られない。本発明は、ハンドルと結束バンドを一体化し基盤の自動係止装置によりワンタッチ動作で対象物を十分に結束し、しっかり安定したハンドルで運搬できる状態にできるという利便性と優位性を持ち、家電品や書類箱など箱状の物をいつでも鞄形態にできる汎用性がある。
【発明を実施するための最良の形態】
【０００６】  本発明は、基盤本体をハンドルと結束バンドをセットした幅の広い板状のブロックと結束物を一周巻きしバンドの挿入口のある幅の狭い板状のブロック、この両ブロックをを抱合わせその接合上部を蝶番で繋いで構成。これにより挿入側ブロックは上方に向けては開放するが、下方へ向けては閉塞し両者平板化する機能を持つ。この両ブロックの接合面部分にバンドを段差をつけて通過させる。引出し口よりバンドを引くと、開放していたバンド挿入側ブロックが蝶番を軸に回転引き寄せられ閉塞する。この際両ブロック接合面に渡されたバンドが両ブロックにに挟まれ圧迫され係止する。
これで結束対象物の捕捉と結束が完了。更にハンドルで全体を持ち上げると、荷重によりバンドは更に圧迫され係止力は強化される。一方、結束の解除については、ハンドルを下ろし、挿入側ブロックを上方に持ち上げると、蝶番が上方に回転し閉塞していた両ブロックは開放され、挟まれ係止されていたバンドが開放され結束は解除される。
【実施例】
【０００７】  以下、添付図面に従って実施例を説明する。１は軽量堅牢なプラスティック製のハンドル、２は同じくプラスティック製基盤本体、３は蝶番、４は柔軟性と強度のある帯状のＰＵ素材や布製の結束バンド、基盤本体２は結束バンド４とハンドル１が装着されたＡブロックと、結束バンド４の最初の挿入口のあるＢブロック２ａにより構成され蝶番３により上部で結合されいる。５は結束物（斜線）。【０００８】  結束物５に基盤本体２を置き、Ａブロック始点の結束バンド４で結束物５を一周巻きしＢブロック２ａの外面挿入口より挿入し内部通路を通過させ内面引出し口より引出す、次にＡブロック内面挿入口に挿入し内部通路を通過させ外面引出し口からバンド４を引出す。このように結束バンド４を、両ブロック間隙に段差のある基盤本体内部通路を通過させ引出すとセットアップが完了する。【０００９】  この基盤本体２を通過し引出した結束バンド４の先端部分を掴み後方へ引くと、バンド４は結束物を締め付け、同時に、バンド全体のテンションによりＢブロック２ａが蝶番３を中心にＡブロックに回転接近し閉塞する。両ブロックの蝶番下の開閉部分の互いの接合面に段差をつけて上下縦に渡された結束バンド４は、閉塞する両ブロックに挟まれ圧迫され自動的に係止する。結束を解除するには、Ｂブロック２ａを上方に回転引上げると、挟まれていた結束バンド４の圧迫が解放され、係止が解除され全体の結束も解除される。
【図面の簡単な説明】
【００１０】
【図１】本発明ハンドル付結束バンドの実施正面図である。
【図２】本ハンドル付結束バンドの実施側面図である。
【図３】本ハンドル付結束バンドの実施斜視図である。
【図４】本ハンドル付結束バンドの平たく展開した表面平面図である。
【符号の説明】
【００１１】１  ハンドル
２  基盤本体
３  蝶番
４  結束バンド
５  結束物（斜線）
【図１】
2007326635.tif 000003
【図２】
2007326635.tif 000004
【図３】
2007326635.tif 000005
【図４】
2007326635.tif 000006
(57)【要約】【課題】  飲料用紙コップと食品用紙容器を片手で持ちながら、飲料を飲み食品が食べられることを可能にすること。【解決手段】  食品用紙容器１にストローさし口３をもうけ、飲料用紙コップ２に重ねることにより飲料を飲み食品を食べることができる。【選択図】図２
2007326638.tif 000002
【特許請求の範囲】
【請求項１】
飲料用紙コップに重ねることのできるストローさし口付き食品用紙容器。
【発明の詳細な説明】
【技術分野】
【０００１】  本発明は飲料用紙コップに食品用紙容器を２段に重ねたものに関する。
【背景技術】
【０００２】  飲料用紙コップと食品用紙容器は単独で使用するものがある。
【特許文献１】  登録実用新案第３０２７５６５号
【発明の開示】
【発明が解決しようとする課題】
【０００３】  飲料用紙コップとポップコーン等の食品を入れた食品用紙容器を片手だけで持てるようにしたのが本発明である。
【課題を解決するための手段】
【０００４】  飲料用紙コップと食品用紙容器を２段に重ね、ストローをさせるようにしたものである。
【発明の効果】
【０００５】  飲料用紙コップと食品用紙容器を別々に持たなくてもよいことになり、片手で飲料を飲みながら、食品を食べることができる。また食品用紙容器の形状を円錐台にすることにより重ねて収納できる。
【発明を実施するための最良の形態】
【０００６】  以下、本発明の実施の形態を図１〜図２に基づいて説明する。【０００７】  ストローをさすためのストローさし口３をもうけた食品用紙容器１を、飲料用紙コップ２の内側に２段に重ねる。食品用紙容器１は飲料用紙コップ２とおなじ円錐台の形状する。
【図面の簡単な説明】
【０００８】
【図１】  本発明の斜視図である。
【図２】  本発明の使用状態を示す断面図である。
【符号の説明】
【０００９】  １  食品用紙容器
２  飲料用紙コップ
３  ストローさし口
４  ストロー
【図１】
2007326638.tif 000003
【図２】
2007326638.tif 000004
(57)【要約】【課題】どの様な置き方でも必要枚数ティシュを完全な形で切れることなく確実に取り出すことができできるティシュボックスを、提供する。【解決手段】ティシュボックス本体（１）上部に谷折り部（２）を設け、これによりティシュボックス本体（１）上部内側とティシュ（６）との間に空間を設けることができる、ティシュボックス本体（１）底部内側にボトムボード（３）を配置しこの上面にティシュをのせる、ティシュボックス本体（１）の左右両面から底面につながる切れ込み（４）を設け、ここに伸縮材（５）を通すことでボトムボード（３）を押上げ、谷折り部（２）との距離を一定に保ちティシュ（６）が残り少なくなってもティシュ（６）がずれることなく使い切ることができることを特徴とする。【選択図】図１
2007326636.tif 000002
【特許請求の範囲】
【請求項１】
（イ）ティシュボックス本体（１）上部に、谷折り部（２）を設る。
（ロ）ティシュボックス本体（１）底部内側に、切れ込みの入ったボトムボード（３）を設る。
（ハ）ティシュボックス本体（１）左右両側面から底面につながる切れこみ（４）を設け、ここに伸縮材（５）を装着する。
以上の構成によりなるティシュボックス。
【発明の詳細な説明】
【発明の詳細な説明】
【技術分野】
【０００１】この発明は、縦置きにしても、下向き使用しても最後までティシュが引っ掛かかったり、切れることなく使い切ることのできるティシュボックスに関するものである。
【背景技術】
【０００２】従来のティシュボックスは、安定性、使い勝手から横置き用が主流であった、しかし近年この横置きティシュボックスも場所を取らないので縦置きに使用する需要が増えてきたが、もともと横置き用に作られているので縦置きで使用しているとティシュが多い時は従来どうり使用出来るが残りのティシュが少なくなってくると、引っ掛かって複数枚同時にティシュボックスから引き出されたり、破れてしまったりと大変使用しにくくなってしまった。
【発明が解決しょうとする課題】
【０００３】そのため次のような欠点があった。
（イ）残りのティシュが少なくなってくると、ティシュボックス内のティシュが下方にずれてしまいティシュが取り出しにくくなった。
（ロ）もともとが横置き用に作られているので、縦置きで長期間使用していると残りのティシュが多くてもティシュボックス内のティシュが下方にずれてしまい柔らかい紙なので自身の重みで折り目が出来てしまいティシュがスムースにとりだしにくくなった。
（ハ）使用する置き方が限定されそれ以外の向きだとティシュが複数枚同時にティシュボックスから引き出されたり、切れるなどのトラブルなども多く、必要な大きさで、必要な枚数だけ取り出すことが出来なかった。
本発明は、これらの欠点を解決するためのものである。
【課題を解決するための手段】
【０００４】ティシュボックスは、もともと横置き用に出来ており縦にして使用するとティシュボックス本体（１）内側のティシュ（６）が下方にずれてしまいティシュ（６）が取り出しにくくなった。そこでティシュボックス本体（１）上部に谷折り部（２）を設けてティシュボックス本体（１）とティシュ（６）との間に空間を設け距離を一定に保っことで複数枚同時にティシュボックスから引き出されたり、切れることがなくなる。同時にティシュボックス本体（１）の底部にボトムボード（３）を配置しティシュボックス本体（１）左右両側面から底面につながる切れ込み（４）に輪ゴムなどの伸縮材（５）を通しこれによりボトムボード（３）とティシュを引上げる。よって上部の谷折り部（２）とティシュ（６）が絶えず圧のかかった接触をしているのでティシュボックス本体（１）を長期間傾けていてもティシュ（６）がずれることなく最後まで使いきれることを発見した。
【発明を実施するための最良の形態】
【０００５】以下、本発明の形態について説明する。
（イ）ティシュボックス本体（１）上部に谷折り部（２）を設ける。
（ロ）ティシュボックス本体（１）底部内側にボトムボード（３）を置き、その上にティシュ（６）をのせる。
（ハ）ティシュボックス本体（１）の左右両側面から底面につながる切れ（４）を設けここに輪ゴムなどの伸縮材（５）を通す。
本発明は以上のような構造で、これを使用するときは、横置き用に作られた一般的なティシュボックスでもティシュ（６）が縦置きでも引っ掛かったり、切れることなく使用することが出来た。
【発明の効果】
【０００６】一般的なティシュボックスでもこの発明を使用することで横置きよりも場所を取らずに、使用でき、ティシュの使用したい枚数より多く出て来たり、切れることなく最後まで最初と同じ条件で使用することが出来る
【図面の簡単な説明】
【図１】本発明の斜視図である。
【図２】本発明の一部を切り欠いた断面詳細図である。
【図３】本発明を底面から見た斜視図である。
【符号の説明】
（１）  ティシュボックス本体
（２）  谷折り部
（３）  切り込み
（４）  ボトムボード
（５）  伸縮材
（６）  ティシュ
【図１】
2007326636.tif 000003
【図２】
2007326636.tif 000004
【図３】
2007326636.tif 000005
(57)【要約】      （修正有）【課題】市販のペットボトル飲料水を飲む際に、キャツプを開けやすく、また、無くさないようにする。【解決手段】この発明は、市販のペットボトル飲料水を飲む際に、キャツプを開けやすく、また、無くさないようにする。市販のペットボトル本体の首（３）に取り付けられるリング状の部材（４）と市販ボトルのキャップ（２）に着脱可能でキャップ表面の凹凸にあわせた凹凸を持つことを特徴とした部材（１）を鎖または紐状のもの（５）で繋いだものである。【選択図】図２
2007326639.tif 000002
【特許請求の範囲】
【請求項１】
市販ボトルの注ぎ口に取付けられる取付部材と上記取付部材に着脱可能な係合部が設けられていることを特徴とする市販ボトル用アダプタ。
【請求項２】
上記アダプタを市販ボトルの首部分に繋げる構造を持つことを特徴とする市販ボトル用ホルダー。
【発明の詳細な説明】
【発明の詳細な説明】
この発明は、市販ボトル飲料水を飲む際に外したキャップを手で持たずにペットボトル本体からぶら下げた状態に維持させるための器具に関するものである。
従来、市販ボトル飲料水を直接飲んだり、飲料水をコップに移す作業をする際、キャップは一方の手で持ったままだったり、下に置いたりしなければならなかった。そのため両手がふさがったり、屋外の場合置き場所によって衛生的にも良くない場合もあったり、無くしてしまうこともあり、不便であった。
本発明はこれらの欠点を除くためになされたものである。それを図面で説明すれば、市販ボトルのキャップ（２）にはめる、内部にキャップの凹凸にあわせた凹凸を持つカバー（１）を、ペットボトルの本体の首部分（３）にかけることのできるリング状のもの（４）と鎖または紐状のもの（５）で繋げてあるものである。本発明はこのような構造であるから、市販ボトルのキャップを外しても置き場所に困ったり、無くしてしまうことがなくなり大変便利である。
【図面の簡単な説明】
【図１】  本発明の斜視図である。
【図２】  本発明を市販ボトルに掛けた状態を示す断面図
【図３】  本発明を市販ボトルに取り付けた状態を示す断面図
【図４】  図３の断面図
【図５】  （４）をサイズ調節可能にしたものの斜視図
【図６】  （１）と（４）と（５）を一体化したものの斜視図
【符号の説明】
（１）キャップホルダー本体  （２）市販ボトルのキャップ
（３）市販ボトル本体の首  （４）リング状のもの  （５）鎖または紐状のもの
【図１】
2007326639.tif 000003
【図２】
2007326639.tif 000004
【図３】
2007326639.tif 000005
【図４】
2007326639.tif 000006
【図６】
2007326639.tif 000007
【手続補正書】
【提出日】平成18年8月23日(2006.8.23)
【手続補正２】
【補正対象書類名】図面
【補正対象項目名】全図
【補正方法】変更
【補正の内容】
【図１】
2007326639.tif 000008
【図２】
2007326639.tif 000009
【図３】
2007326639.tif 000010
【図４】
2007326639.tif 000011
【図５】
2007326639.tif 000012
【図６】
2007326639.tif 000013
(57)【要約】【課題】射出成形金型に於いて、固定側金型が射出圧力に耐えられるべく、位置決めリングを兼用とした補強部材を提供する。【解決手段】固定側金型は射出圧力によって、成形機の固定側プラテンに明けられた貫通孔に沈み込む傾向の撓みが発生する。本補強部材を取り付けることで固定側金型が大幅に増強され、この撓み、及びそれに起因する不良現象等を抑制することが可能となる。【選択図】図１
2007326354.tif 000002
【特許請求の範囲】
【請求項１】
射出成形金型に於いて、固定側金型の射出圧力に対する強度を増加させる目的を有する、位置決めリング兼用の補強部材。
【発明の詳細な説明】
【技術分野】
【０００１】  本発明は射出成形金型の固定側金型に於いて、成形機に取付用の位置決めリングを兼用した耐射出圧力の為の補強部材である。
【背景技術】
【０００２】  射出成形金型に於いては、成形機の固定側プラテンに金型位置決め用の孔が貫通している為、固定側金型が射出圧力による撓みを発生し、バリの発生又は金型部品の損傷を誘発することがしばしばある。【０００３】  従来使用されている位置決めリング９を図２に示すが、位置合わせだけの単一機能しか持たない為、増強機能は皆無に等しいものである。
【発明の開示】
【発明が解決しようとする課題】
【０００４】  図１に示すように、本発明はこの固定側金型が射出圧力に耐えられるべく、その形状の外周部を成形機の固定側プラテンで受けるものとし、尚且つ断面係数を従来品よりも格段に大きく設定した円筒状補強部材として提供するものである。
【発明が解決しようとする手段】
【０００５】  図１に於いて固定側型板２及び取付板３は射出圧力がかかると、成形機の固定側プラテン５に明けられている貫通孔７がある為、この孔に沈み込む傾向の撓みが発生する。これを防ぐべく当発明である補強部材４を取付け、その外周部を固定側プラテン５で受けると共に、自らの高断面係数による強度によって固定側中央部にかかる射出圧力を受け止め、固定側金型の撓みを抑制するものである。
【発明の効果】
【０００６】  本部材を取付けることにより固定側金型の撓みを抑制し、パーティング各部のバリの減少と金型部品の破損抑止、及び型寿命の延長等の効果を提供するものである。
【産業上の利用可能性】
【０００７】  射出成形業界に於いて、本発明の課題としている着眼点を認識されていないケースもあり、認識があったとしても適切な対策を見つけかねているのが大半である。本発明を利用することにより、原因追求未達成領域の一つの問題点が開示されると同時に、適切なる対策が施されることとなる。
【図面の簡単な説明】
【図１】本発明の補強部材が組み込まれた金型全体の取付け状態を示す。
【図２】従来からの単一機能の位置決めリングが付いた金型の取付け構成を示す。
【符号の説明】
１  金型
２  固定側型板
３  固定側取付板    ２，３合せて固定側金型と称している
４  位置決めリング兼用補強部材
５  成形機固定側プラテン（金型の取付け定盤）
６  成形機可動側プラテン（金型の取付け定盤）
７  金型位置決め用貫通孔
８  製品形状部（参考）
９  従来形状の位置決めリング
【図１】
2007326354.tif 000003
【図２】
2007326354.tif 000004
(57)【要約】      （修正有）【課題】釣竿やゴルフクラブシャフトやテニスのラケットや野球の木製バットや陸上競技の棒高飛びのバーやヨットのマスト等の長物製品の強度や反発力を更に増す方法の提供。【解決手段】本体１に巻付け物２を巻付けた後に繊維を巻付けた場合は、巻付けた繊維の上から樹脂類を塗って沁み込ませ乾燥させる。次に、縦方向断面に見るように、巻付け物２と巻付け物２との間に谷が生じるのでその谷を埋めるべく樹脂類を流し込み３の谷を埋める（山を頂点にして）その円周方向を滑らかにして次の巻付けを円滑にする。また本体に針金やワイヤーを巻付ける場合は３の谷を埋める（山を越して）には適宜の量のプラスチック類を流し込み滑らかに円周方向を成型し、適宜の回数巻付けて必要な強度と反発力を得る。【選択図】図３
2007326356.tif 000002
【特許請求の範囲】
【請求項１】
本体がカーボンやグラスファイバーや金属やプラスチック類や竹製品や木製品の長物の強度補強や反発力を増す方法として、化学繊維や天然繊維から成る糸や紐やロープや針金やワイヤー等の適宜の太さや細さの物を上記の六物質の本体の長物に、人間の手や機械を用いて整然と緊密にきっちりと巻付ける。その巻付けた後に、本体と巻付けた物と巻付けた物と巻付けた物同士の接合を果たすために、繊維の場合は化学繊維や天然繊維を撚って作っているので樹脂類を塗って繊維の中まで沁み込ませて乾燥させる。この状態のままだと縦方向断面を見ると谷が生じるのでその谷を樹脂類を流し込んで埋め、山の頂点で円周面を滑らかにして次の巻付けを整然と緊密にきっちりと出来るようにする。また巻付け物が金属の場合は、巻付け物と巻付け物との間の谷を埋めるが巻付け物の頂点を越してプラスチック類を適宜の量を流し込んで本体と巻付け物とを強固に一体にして次の巻付けが整然と緊密にきっちりと出来るようにその円周面を滑らかにする。以上の製造工程によって、その巻付け回数によって目標の反発力と強度を得る事を可能にする。
【発明の詳細な説明】
【技術分野】
【０００１】本発明は、世に出廻っている長物の製品の強度や反発力を増すために改良なされたものである。
【背景技術】
【０００２】従来に於ては、グラスファイバーやカーボンやプラスチック類や金属や竹製品や木製品の長物はその特質のみの単品から成っていて、その物質の性質を更に高めたり強めたりする技術の開発は今日まで世に成されていない。
【発明が解決しようとする課題】
【０００３】グラスファイバーやカーボンやプラスチック類や金属や竹製品や木製品の長物はその特質のみの単品から成っているために、強度や反発力を増すためには繊維類の糸や紐やロープや針金やワイヤー等を手の力や機械で整然と緊密にきっちりと長物の本体に巻付け、本体と巻付け物及び巻付け物と巻付け物との接合を果たすために、石油系樹脂や天然樹脂を塗って沁み込ませ乾燥させた後、次の巻付けを整然と緊密にきっちりと成すために巻付けと巻付けの間の谷を適宜の物質（樹脂類やプラスチック類）で埋め、面を滑らかにして一つの製品の長物の太さに対する強度や反発力を理想の数値にまで高められる適宜の回数まで繰り返して巻付ける。
【課題を解決するための手段】
【０００４】本体に繊維類や針金やワイヤー等を巻いて一つの製品とするためのプロセスとして、図１の如く本体１に巻付け物２を巻いて図２の如く本体の縦断面を見れば分る通り、巻付け物と巻付け物との間に谷が生じるので、次の巻付けのために図３の如く谷を埋める３として面を滑らかにして整然と緊密にきっちりと巻付けられるようにする。また本体に対して巻付け物が針金やワイヤーの場合、図４の３の如くプラスチック類を適宜の量を巻付け物の山の頂点を越して成型させ、金属とプラスチックの両者に係わる強度を安定させる。
【発明の実施形態】
【０００５】以下、発明の実施形態について説明する。
（イ）図１の本体１に巻付け物２を巻付け、巻付け物が繊維の場合は、石油系樹脂や天然樹脂を塗って繊維の中に沁み込ませ本体と巻付け物と、巻付け物と巻付け物との接合を果たす。
（ロ）図２の縦方向断面に見る通り、巻付け物２に谷が生じるので次回の巻付けに於て巻付け物を整然と緊密にきっちりと巻付けられないので、巻付け物が繊維の場合は図３の３の谷を埋めるの如く巻付け物の頂点まで樹脂類によって埋めて埋められた面を滑らかにする。
（ハ）巻付け物が針金かワイヤーの場合は、図４の３の谷を埋めるの如くプラスチック類を適宜の量流し込み、巻付け物の頂点を越して本体に対してプラスチックの安定的強度を持たせる。
【発明の効果】
【０００６】（イ）従来のカーボン製やグラスファイバー製の釣竿では不注意のために竿先が高価な製品でも安価な製品でも同一に折れてしまう欠点が有ったが本発明の技術を用うれば、磯釣り大物用の手巻きの剛竿のように強い糸で巻かれたその竿先を折損する前に強力な反発力によって体力を失ってくたくたになってしまう。その様に折損する事の無い釣竿は釣人にとって経済的であり、本発明の釣竿は一生に一本を重宝にして使いきれるものである。
（ロ）ゴルフのクラブシャフトやテニスのラケットや陸上競技の棒高飛びのバーがカーボン製やグラスファイバー製の物であっても本発明技術を用うれば従来の製品よりも数段上廻る反発力を増す製品を製造できる。
（ハ）野球のバットは木製を基本にする以上は、バットを度々折られる現実に対して何等かの技術的方法で解決すべきであり、本発明の繊維をバットの素材に整然と緊密にきっちりと巻き付ける事で、従来と全く同じ撓みで折損しないバットの製造は可能である。
（ニ）ヨットの外洋航海中に嵐に合ってマストが折損し、航行不能の事故を起す原因は、マスト本体に撓みを持たせない構造から成っているので本発明による技術を用うることによってマストの折損の限界に近付けさせない事となり安全な航海が可能となる。
（ホ）ビルの耐震構造化が計られる今日、本発明の技術を用い金属棒と強化プラスチックをマッチさせた針金やワイヤーを本体に巻き付け反発力を利用した復元力化を計って耐震構造化ビルやホテルやマンション群を構築できる。
また一般の住宅に於てもグラスファイバーやカーボンや竹や木材に強い繊維を巻付け強化プラスチックを加えた耐震構造化住宅群を構築できる。
【図面の簡単な説明】
【図１】本発明の本体に巻付け物を巻いた平面図である。
【図２】本発明の本体に巻付け物を巻いた縦方向の断面図である。
【図３】本発明の図２の巻付け物と巻付け物との間の谷を埋めた縦方向の断面図である。
【図４】本発明の図２の巻付け物と巻付け物との谷を図４の金属による巻付け物２を強固に安定させるためにプラスチック類を適宜の量を流し込んで成型した縦方向の断面図である。
【符号の説明】
【図１】
１  本体
２  巻付け物
【図２】
１  本体
２  巻付け物
【図３】
１  本体
２  巻付け物
３  谷を埋める（山を頂点にして）
【図４】
１  本体
２  金属による巻付け物
３  谷を埋める（山を越して成型する）
【図１】
2007326356.tif 000003
【図２】
2007326356.tif 000004
【図３】
2007326356.tif 000005
【図４】
2007326356.tif 000006
(57)【要約】【課題】  切手類を鑑賞しようとするとき、単片では、小さすぎ取扱いが困難で紛失したり傷を付け易い。また、アルバムやストックブックでは、各頁にある多数枚を同時に見ることになるので、互いに干渉しあい、単葉を一幅の絵画として鑑賞することに困難がある。また、絵画として機能を損なわずに、それに纏わる物語や説明を加える必要がある。【解決手段】  切手の１片を１頁の絵とする絵本とし、その絵本の縦横の寸法を３インチ以下（７６ｍｍ以下）の豆本仕様とする。その絵に纏わる物語や説明がある場合には、見開きの隣り合った頁に記載する。  以上の構成よりなる切手を用いて絵本とした豆本。【選択図】図３
2007326355.tif 000002
【特許請求の範囲】
【請求項１】
切手の１片を１頁の絵とする絵本とし、その絵本の縦横の寸法を３インチ以下（７６ｍｍ以下）の豆本仕様とする。その絵に纏わる物語や説明がある場合には、見開きの隣り合った頁に記載する。  以上の構成よりなる切手を用いて絵本とした豆本。
【発明の詳細な説明】
【技術分野】
【０００１】  本発明は絵本の豆本に関するものである。詳しくは、切手を用いて絵本とした豆本に関する。
【背景技術】
【０００２】  郵便切手やマッチラベル（マッチレッテル）それに書票（蔵書票）は、縮小した絵画とも言えるもので、美術的にも優れたものが多い。
【発明の開示】
【発明が解決しようとする課題】
【０００３】  しかしながら、このような切手類を鑑賞しようとするとき、単片では、小さすぎ取扱いが困難で紛失したり傷を付け易い。また、アルバムやストックブックでは、各頁にある多数枚を同時に見ることになるので、互いに干渉しあい、単葉を一幅の絵画として鑑賞することに困難がある。また、絵画として機能を損なわずに、それに纏わる物語や説明を加える必要がある。  本発明は、以上のような欠点をなくすためになされた絵本である。
【課題を解決するための手段】
【０００４】  切手の１片を１頁の絵とする絵本とし、その絵本の縦横の寸法を３インチ以下（７６ｍｍ以下）の豆本仕様とする。その絵に纏わる物語や説明がある場合には、見開きの隣り合った頁に記載する。  以上の構成よりなる切手を用いて絵本とした豆本である。  ここで絵本の寸法を３インチ以下としたのは、これ以上の寸法では１頁に占める切手の面積が小さくなり過ぎ、絵本の絵とは見なせなくなることと、稀覯本として豆本収集家に定義される寸法が３インチ以下であることによる。（この定義に関しては、例えば、非特許文献１参照。）【非特許文献１】Ｂｏｎｄｙ，Ｌ．：Ｍｉｎｉａｔｕｒｅ  Ｂｏｏｋｓ，ｐ．１，Ｓｈｅｐｐａｒｄ  Ｐｒｅｓｓ，Ｌｏｎｄｏｎ（１９８１）
【発明の効果】
【０００５】  切手の１片をその大きさに合わせた１頁とするので、縮小された一幅の絵画として集中して鑑賞することができる。また、見開きの隣り合った頁にその絵に纏わる物語を加えることで、絵本として楽しむことができる。  絵本仕立て（厚紙を二つ折りにし貼り合わせた製本）のため、紙面に凹凸ができず、切手を痛めることがない。  豆本仕様なので、小さく持ち運びに便利。特に浮世絵などの美術絵画の郵便切手を用いた豆絵本は、嵩張らず軽いので、海外向けの日本文化を紹介する土産品や工芸品として適当である。  絵本として幼児から、豆本コレクターや切手コレクターの成人まで、広い年齢層で楽しむことができる。
【発明を実施するための最良の形態】
【実施例１】
【０００６】  以下、本発明の実施例について、図で説明する。  図１は、本発明の郵便切手を用いた豆絵本の外観写真である。  この例では、友禅染和紙で作られた絵本の表紙を示す。  図２から図４は、本発明の郵便切手豆絵本の本文写真を示す。  各見開きの左頁には、その全頁を使って挿絵としての郵便切手が貼られ、右頁にはその絵に纏わる物語が記載されている。
【実施例２】  郵便切手に替えて、マッチラベル（マッチレッテル）を挿絵として用いた本発明の豆絵本。
【実施例３】  郵便切手に替えて、書票（蔵書票）を挿絵として用いた本発明の豆絵本。
【図面の簡単な説明】
【０００７】
【図１】本発明の実施例１の外観写真である。
【図２】本発明の実施例１の内部写真である。
【図３】本発明の実施例１の内部写真である。
【図４】本発明の実施例１の内部写真である。
【図１】
2007326355.tif 000003
【図２】
2007326355.tif 000004
【図３】
2007326355.tif 000005
【図４】
2007326355.tif 000006
(57)【要約】【課題】瑞々しさや清涼感を与えることができる、模造植物１２ａ，１２ｂを用いた装飾用置物１０を提供すること。【解決手段】装飾用置物１０は、透明の容器１１に、主剤と硬化剤の２液を混合して縮合反応させる無色透明の常温硬化型シリコーンゴム１３を充填し、該シリコーンゴム１３に模造植物１２ａ，１２ｂを挿して立設保持することによって、あたかも花器１１に水が充填されているように見え、水のもつ瑞々しさや清涼感が生ずるようにした。【選択図】図１
2007326321.tif 000002
【特許請求の範囲】
【請求項１】
模造植物を用いた装飾用置物であって、透明の容器に無色透明の常温硬化型シリコーンゴムを充填し、該シリコーンゴムに前記模造植物を挿して立設保持したことを特徴とする装飾用置物。
【請求項２】
前記容器として無色透明の容器を用いたことを特徴とする請求項１に記載の装飾用置物。
【発明の詳細な説明】
【技術分野】
【０００１】
本発明は装飾用置物に関し、より詳しくは花や草木の模造植物を用いた装飾用置物に関する。
【背景技術】
【０００２】
一般にこの種の置物は造花や草木の模造植物を花器、鉢等の容器に盛りつけて構成されている。
しかして、自然の植物にあっては花器や鉢に水を入れる必要があるが、模造植物には水が不必要であるので、ことさら容器に水を入れることはない。
しかし、鑑賞するとき容器に水が入っていないことが判ると、植物が模造品であることが判り、興がそがれる。そこで、模造植物を盛りつける容器は中が見えないように不透明な陶磁器製あるいはプラスチック製のものを使用するのが通例である。
【特許文献１】引用なし
【発明の開示】
【発明が解決しようとする課題】
【０００３】
上述したように従来の装飾用置物は不透明な容器に模造植物を盛りつけただけの構成であるため、瑞々しさや清涼感に乏しいものが多い。
本発明はかかる点に鑑み、瑞々しさや清涼感を与えることができる、模造植物を用いた装飾用置物を提供することを目的とする。
【課題を解決するための手段】
【０００４】
上記目的を達成するため請求項１に記載の発明は、模造植物を用いた装飾用置物であって、透明の容器に無色透明の常温硬化型シリコーンゴムを充填し、該シリコーンゴムに前記模造植物を挿して立設保持したことを特徴とする。
そして、好ましくは容器に無色透明のものを用いる。
【発明の効果】
【０００５】
そもそも、本発明は、無色透明の常温硬化型シリコーンゴムが硬化すると、あたかも水のように見える点に着目してなされたものである。本発明は水の質感を有する無色透明の常温硬化型シリコーンゴムを内部が透視可能な透明容器に充填するので、鑑賞者にはあたかも透明容器に水が充填されているように見える。これにより、置物の鑑賞者に瑞々しさや清涼感を与えることができる。
【０００６】
また、容器に無色透明のものを用いることにより、シリコーンゴムのもつ水の質感をより一層鑑賞者に伝えることができる。
【０００７】
さらに、模造植物は硬化したシリコーンゴムによって立設保持され、剣山等の立設保持手段を必要としないので、シンプルで見栄えが良く置物としての装飾効果が高まる。
【実施例１】
【０００８】
以下に、本発明の一実施例に係る装飾用置物を図１に基づき説明する。当該装飾用置物１０は無色透明のガラス花器１１と、この花器１１に挿入した造花１２ａ，１２ｂ及び花器１１に充填した無色透明の常温硬化型シリコーンゴム１３から構成される。
【０００９】
本実施例では常温硬化型シリコーンゴム１３として、主剤と硬化剤を混合する縮合反応型シリコーンゴムを用いた。主剤と硬化剤を所要量計量して混合、攪拌し、脱泡後すぐに花器に流し込む。そして、流動性のあるうちに造花１２ａ，１２ｂを花器１１中のシリコーンゴム１３に挿す。造花１２ａ，１２ｂのうち花器１１の口によって支えられている造花１２ａ，１２ｂは格別保持手段を用いなくても姿勢が保たれるが、花器１１の口に支えられていない造花のふちについては、シリコーンゴム１３が硬化するまで保持手段、例えば保持片を花器１１の口に取り付けて立設保持し、シリコーンゴム１３の硬化後に保持手段を取り除く。
【００１０】
ちなみに本実施例では、主剤として信越化学工業の製品番号ＫＥ１０８のシリコーンゴムを、また硬化材として同社の製品番号ＣＡＴ−１０８の触媒剤を使用し、主剤２００ｃｃに硬化材１０ｃｃを添加して混合、攪拌したものを花器１１に充填した。この場合、約３時間で固まり始め、５時間でやや固まり、７時間でほぼ硬化し、８時間で完全に硬化した。
【００１１】
本実施例によれば、水の質感を有する無色透明の常温硬化型シリコーンゴム１３を無色透明のガラス花器１１に充填するので、鑑賞者にはあたかも花器１１に水が充填されているように見える。そのため、置物１０の鑑賞者に水のもつ清涼感を与えることができる。
【００１２】
また、造花１２ａ，１２ｂは硬化したシリコーンゴム１３によって立設保持され、立設保持に他の手段を花器１１に備える必要がないので、シンプルで見栄えが良くなる。
【００１３】
なお、本実施例では無色透明のガラス花器１１を使用したが、かならずしも無色である必要はなく、内部のシリコーンゴム１３を見ることができる程度に透明であれば、着色されたものでも良い。
【００１４】
また、材質が透明であればプラスチック製の花器でよく、さらに花器に限らず鉢や箱形のケースを用いることもできる。
【図面の簡単な説明】
【００１５】
【図１】本発明の実施例に係る装飾用置物を示す正面図である。
【符号の説明】
【００１６】
１０…装飾用置物
１１…花器
１２ａ，１２ｂ…造花
１３…常温硬化型シリコーンゴム
【図１】
2007326321.tif 000003
(57)【要約】      （修正有）【課題】建物新築時、屋外埋設のビニール製配管を使用した給排水等配管工事において、地下部分の地中梁又は壁を通過して建物内に引き込む場合に、止水作業の施工不良による地下又はピット内への水の浸入を防止し、配管作業を容易にする。また、コンクリートを打設する際に、実管スリーブ内にコンクリートトロの浸入を防止する。【解決手段】地中梁又は壁に設置した塩ビ製ツバ付き実管スリーブ３に配管４を差し込み接続するだけで、配管作業と配管の止水作業を完了する。また、塩ビ製ツバ付き実管スリーブの端部に専用蓋を取り付けることによって、コンクリートを打設する際に、実管スリーブ内にコンクリートトロの浸入を防止する。【選択図】  図２
2007009980.tif 000002
【特許請求の範囲】
【請求項１】
建物新築時、屋外埋設のビニール製配管を使用した給排水等配管工事において、地下部分の地中梁又は壁を通過して建物内に引き込む場合に、配管を差し込み接合するだけで地中梁又は壁内の配管作業と配管の止水作業を完了することができる塩ビ製ツバ付き実管スリーブ。
【請求項２】
実管スリーブの配管接続用ソケット継手部をユニバーサルソケット継手に変更することによって、接続する配管の接続角度を自由に変更することができる塩ビ製ツバ付き実管スリーブ。
【請求項３】
実管スリーブの配管接続用ソケット継手端部に容易に取り付け又は取り外しが可能な蓋を取り付けることによって、実管スリーブを地中梁又は壁部分型枠・鉄筋内に設置しコンクリートを打設する際に、実管スリーブ内へのコンクリートトロの浸入を完全に防止することができる塩ビ製ツバ付き実管スリーブ。
【発明の詳細な説明】
【技術分野】
【０００１】
本発明は、建物新築時、屋外埋設のビニール製配管を使用した給排水等配管工事において、地下部分の地中梁又は壁を通過して建物内に引き込む場合に、配管を差し込み接合するだけで地中梁内の配管作業と配管の止水作業を完了することができる塩ビ製ツバ付き実管スリーブに関するものである。
【背景技術】
【０００２】
従来、屋外埋設のビニール製給排水等配管を地下部分の地中梁又は壁を通過して建物内に引き込む場合において、屋外土中から地下又はピット内への水の浸入を防止するための止水作業が必要になる。具体的には、１．コンクリート打設前に、地下又はピットと屋外土中を隔てる地中梁又は壁の中に、あらかじめ屋外からの水の浸透を防ぐためのツバ付き鉄管スリーブを設ける  ２．コンクリート打設後に、鉄管スリーブ内に配管を通す  ３．鉄管スリーブと配管の隙間に止水材料を詰めて止水処理する  といった作業を行う。
【発明の開示】
【発明が解決しようとする課題】
【０００３】
解決しようとする課題は、従来の工法では、鉄管スリーブ内に配管を通した後に鉄管スリーブと配管のすきまに止水材料を詰めて止水作業をするため、止水作業の施工不良による地下又はピット内への水の浸入の問題があった。また、コンクリートを打設する際に、実管スリーブ内にコンクリートトロの浸入の問題があった。
【課題を解決するための手段】
【０００４】
上記課題を解決するために、地下部分の地中梁又は壁に設置した塩ビ製ツバ付き実管スリーブに配管を差し込み接続するだけで、配管作業と配管の止水作業を完了することができることを特徴とする。
【発明の効果】
【０００５】
配管作業が容易になり、配管の止水作業が不要になる。また、コンクリートを打設する際に、実管スリーブ内へのコンクリートトロの浸入を防止することができる。
【発明を実施するための最良の形態】
【０００６】
以下、図面に従って、本発明の実施形態を説明する。
【０００７】
図１に本発明品を示す。塩ビ製ツバ付き実管スリーブは、短管の塩ビ製配管材１と短管の塩ビ製配管材１に接続した塩ビ製配管接続用の塩ビ製ソケット継手３と、塩ビ製配管材１の外周に接続された塩ビ製のツバ２から構成される。
【０００８】
図２は、本発明品が地下部分の地中梁又は壁に設置されている状況を示す。本発明品を地中梁又は壁Ｃのコンクリート打設前に、地中梁又は壁Ｃ部分の鉄筋に固定し設置する。
【０００９】
地中梁又は壁Ｃの梁又は壁幅Ａは場所毎に異なるが、幅Ａに応じて短管の塩ビ製配管材１の長さを調節し、梁又は壁幅Ａと同じ長さに合わせたものを製作する。
【００１０】
コンクリート打設・型枠解体後に、塩ビ製配管材４を差し込み接合し、配管作業と配管の止水作業が完了する。
【００１１】
図３は、本発明品の塩ビ製配管接続用の塩ビ製ソケット継手３の代わりに、塩ビ製ユニバーサルソケット継手５の取り付け概要を示す。塩ビ製ソケット継手３を塩ビ製ユニバーサルソケット継手５に変更することによって、塩ビ製配管材４を差し込み接合する際に、塩ビ製配管材４の差し込み角度を自由に変更することができるので、配管の位置の誤差に簡単に対応できる。
【００１２】
本発明品の塩ビ製配管接続用の塩ビ製ソケット継手３の端部に塩ビ製ソケット継手用蓋６を取り付けることによって、コンクリート打設時に浸入しやすいコンクリートトロの塩ビ製ソケット継手３内へのコンクリートトロの浸入を防止することができる。
【００１３】
本発明品の塩ビ製のツバ２は、地中梁又は壁Ｃと本発明品とのすきまＢから透過する水の浸入を防止することができる。
【００１４】
図４は、従来工法の概要を示す。コンクリート打設後に鉄管スリーブ内に配管を通し、鉄管スリーブと配管の隙間に止水材料を詰めて止水処理をする。
【図面の簡単な説明】
【００１５】
【図１】本発明品の概要を示した説明図である。
【図２】本発明品の地中梁又は壁への取り付け概要を示した説明図である。
【図３】本発明品の塩ビ製配管接続用の塩ビ製ソケット継手の代わりに、塩ビ製ユニバーサルソケット継手の取り付け概要を示した説明図である。
【図４】従来工法の概要を示した説明図である。
【符号の説明】
【００１６】
１    短管の塩ビ製配管材
２    塩ビ製のツバ
３    塩ビ製配管接続用の塩ビ製ソケット継手
４    塩ビ製配管材
５    塩ビ製配管接続用の塩ビ製ユニバーサルソケット継手
６    塩ビ製配管接続用の塩ビ製ソケット継手用蓋
Ａ    地中梁又は壁の梁又は壁幅
Ｂ    地中梁又は壁と塩ビ製ツバ付き実管スリーブのすきま
Ｃ    地中梁又は壁
【図１】
2007009980.tif 000003
【図２】
2007009980.tif 000004
【図３】
2007009980.tif 000005
【図４】
2007009980.tif 000006
(57)【要約】      （修正有）【課題】介護に用いるとき寝巻きの形状は、着物の様な形では布団を掛けて寝ている内に足元は肌蹴ている事がある。また、寝たままの患者では、脱ぎ着させる者にとって重労働である。従来のパジャマだと肩や腕の不自由な患者には袖を通す事が難しい。また、足の不自由な患者の介護者とってズボンの脱ぎ着は大変な作業である。そこで、体の不自由な方が脱ぎ着しやすい事で介護者が介助を楽に出来る寝巻きを提供する。【解決手段】上衣は襟繰りから片山を通り袖口まで、ズボンは両脇の穿き口から裾までをスナップで開閉出来る用にし、尚且つ両脇を開けても後ろ身頃がずり落ちない為の紐を付けた。【選択図】図１
2007009385.tif 000002
【特許請求の範囲】
【請求項１】
上衣は襟繰りから肩山を通り袖口まで、ズボンは両脇の穿き口から裾までをスナップで開閉出来る様にし、尚且つ両脇を開けても後ろ身頃がずり落ちない為の紐を付けた事を特徴とするパジャマ。
【請求項２】
上記の上被は衿繰りから肩山を通り袖口までをスナップ（ボタン、面ファスナー等）で開閉出来る事を特徴とするパジャマ。
【請求項３】
請求項１のズボンの両脇を開きしてスナップ（ボタン、面ファスナー等）で開閉する事を特徴とするパジャマのズボン。
【請求項４】
前記のズボンはスナップを外した時後ろ身頃がずり落ちない為の紐を後ろ身頃の両端に付けた事を特徴とするパジャマのズボン。
【発明の詳細な説明】
【技術分野】
【０００１】  この発明は、介護用に用いる寝巻きの形状に関する。
【背景技術】
【０００２】  従来の介護用寝巻きの形状は、上被前身のみに開閉用のボタンの付いたパジャマ。又は着物のように前身ごろを打ち合わせにし、両脇を紐で結んだものである。
【発明の開示】
【発明が解決しようとする課題】
【０００３】しかしながら、着物の様な形では布団を掛けて寝ている内に足元は肌蹴ている事がある。
また、寝たままの患者では、脱ぎ着させる者にとって重労働である。
従来のパジャマだと肩や腕の不自由な患者には袖を通す事が難しいし、足の不自由な患者の介護者とってズボンの脱ぎ着は大変な作業である。  そこで、この発明は、体の不自由な方が脱ぎ着しやすい事で介護者が介助を楽に出来る寝巻きを提供することを課題とする。
【課題を解決するための手段】
【０００４】  以上の課題を解決するために、第一発明は、上衣は襟繰りから片山を通り袖口まで、ズボンは両脇の穿き口から裾までをスナップで開閉出来る用にし、尚且つ両脇を開けても後ろ身頃がずり落ちない為の紐を付けた事を特徴とするパジャマである。【０００５】  第二発明は衿繰りから肩山を通り袖口までをスナップ（ボタン、面ファスナー等）で開閉出来る事を特徴とするパジャマである。【０００６】  第三発明は、ズボンの両脇を開きしてスナップ（ボタン、面ファスナー等）で開閉する事を特徴とするパジャマのズボン。【０００６】  第四の発明はズボンはスナップを外した時後ろ身頃がずり落ちない為の紐を後ろ身頃の両端に付けた事を特徴とするパジャマのズボン。
【発明の効果】
【０００７】  第一発明、に因れば患者を寝かせる前に上衣を敷き無理に腕や肩を動かす事が無く最小限の腕の上げ下ろしでスナップの開閉により、腕を袖に通す事が出来る。【０００８】第二発明によれば、寝たままの患者でも腰を浮かせて股から差し込む様にして、ズボンの後ろ身頃を腰に当てスナップを留める事で脱ぎ着させる事が簡単になった。また、ズボンの前部分が大きく開く事で、尿瓶で用を足す時等簡単に脱ぎ着が出来る様になった。【０００９】第３発明に因れば用を足す時等、スナップを外して前見頃を下ろした時でも後ろ身頃は、脇に付いた紐を前で結ぶ事で落ちない様になった。
【発明を実施するための最良の形態】
【０００８】  この発明の実施形態を、図１に示す。
パジャマの上衣、襟ぐり１から袖口２まで明きを儲けスナップを取り付けた。
ズボンは履き口の両脇３から裾４まで明きを儲けスナップを取り付けた。
ズボンの後ろ身頃５の両端（脇）にずり落ちない用に前で結ぶ為の紐を取り付けた。
「実施形態の効果」【０００９】  この実施形態によれば、図１−１〜２が開けるため腕を動かせない方は余りむりをせず、袖に腕を通す事が出来る。【００１０】  寝たままの患者でも腰を浮かせて股から差し込む様にして、ズボンの後ろ身頃３を腰に当て両脇のスナップ７〜８を留める事で脱ぎ着させる事が簡単になる。また、ズボンの前頃４が大きく開く事で、尿瓶で用を足す時等簡単に脱ぎ着が出来る様になる。【００１１】  また、ウエストゴム５による締め付けも紐６を結ぶ長さで調節できる。また、着物のように足元をはだけさせる事も無くすることが出来る。【００１２】尿瓶で用を足す時等、スナップ７を外して前見頃を下ろした時でも後ろ身頃は、脇に付いた紐６を前で結ぶ事でずり落ちない様になった。【００１３】「他の実施形態」
寝巻きの肩、ズボンＢの脇を留めるスナップはボタンやマジックテープ等に変えても良い。
その時は肌に直接触れないよう注意する。【００１４】ズボンには前後ウエストにダーツを前後２本ずつ取りその間にゴム５を入れる事でずれにくく動きやすくなる。両脇の留めはスナップを２〜３個横に並べて付ける事でウエストの緩みを調節する事が出来る。
【図面の簡単な説明】
【００１８】
【図１】この発明の上被の実施形態を示す図である。
【図２】従来技術を示す図である。
【符号の説明】
【００１９】１〜２  上衣の開き
３  ズボン後ろ身頃
４  ズボンの前身頃
５  ズボンのウエストゴム
６  ズボン後ろ身頃に付けた紐
７〜８  ズボンの脇のスナップ
【図１】
2007009385.tif 000003
【図２】
2007009385.tif 000004
(57)【要約】      （修正有）【課題】  地震や自然災害による落下物から頭部を守る頭部用の防災具を提供する。【解決手段】  手軽に持ち運びが出来るよう折りたたむことができ簡単に頭に被る事を特徴とする頭部用の防災具で長方形の板材１，１を観音開きで山形として頭に被せる構造とした。【選択図】  図１
2007009383.tif 000002
【特許請求の範囲】
【請求項１】
長方形の２枚の板材を観音開きで山型として頭に被せる頭部用の防災具。
【請求項２】
２枚の長方形の板材を、折たたみで薄くし持ち運びを容易とした頭部用の防災具。
【発明の詳細な説明】
【技術分野】
【０００１】  本発明は、地震、自然災害等により落下、飛来する危険物から頭の損傷を防ぐ頭部用の防災具に関するものである。
【背景技術】
【０００２】  従来は、帽子型ヘルメット、布製防災頭布が主体であるが持ち運びが不便であった。
【発明の開示】
【発明が解決しようとする課題】
【０００３】  そのため、次のような問題点があった。
予測出来ない地震、自然災害に対し、直ちに対応出来る携帯型とした頭部用の防災具がなかった。
幼児、小学生から大人まで対応出来る頭部用の防災具がなかった。
【課題を解決するための手段】
【０００４】  衝撃力に強い板材（１）を山型にした構造で、落下物の衝突力を弱める頭部用の防災具である。
内部に頭に直接被るキャップ（２）を取付け、頭の大きさに自由に対応出来る頭部用の防災具である。
【発明の効果】
【０００５】  幼児から大人まで男女共利用出来る。
帽子を被る要領と同じで子供１人でも短時間に着用出来る。
発光塗料を塗ることより夜間家族の存在が確認し易い。
地震等で避難する場合、両手が自由自在となる。
硝子等の落下物による頭の損傷を最小にする事が出来る。
折りたたみで薄くし持ち運びを容易にした。
【発明を実施するための最良の形態】
【０００６】  以下、本発明の実施の形態について説明する。
長方形の２枚の板材（１）を観音開で山型として頭に被せる頭部用の防災具である。
２枚の長方形の板材（１）を、折たたみで薄くし持ち運びを容易とした頭部用の防災具である。
衝撃力に強く軽い材質により小学生のカバン、女性のハンドバックで持てる形にした。
キャップ（２）には安全度を高めるため鉄板（３）が貼ってある。
本発明は以上の構成になっている。次に、本発明の使用方法を説明する。
（イ）図１の格納時の折たたんである板（１）２枚を図２の形のように観音開きに開き山形とする。
（ロ）板に取付けてあるキャップ（２）を被る。
（ハ）キャップに装着してある織ゴム（４）により頭にしっくり被る。
（ニ）布紐（５）を両耳に掛ける。
（ホ）布紐（５）に付いているゴム紐（６）を顎に掛け終了する。
【図面の簡単な説明】
【０００７】
【図１】  本発明の一部を切り欠いた斜視図である。
【図２】  本発明の正面図である。
【図３】  本発明の側面図である。
【図４】  本発明の底面図である。
【図５】  本発明の格納時の正面図である。
【図６】  本発明の頭部用の防災具の使用状態を示した斜視図である。
【符号の説明】
【０００８】  １  板材
２  キャップ
３  鉄板
４  織ゴム
５  布紐
６  ゴム紐
７  板材とキャップの取付場所
８  板材とキャップの取付場所
【図１】
2007009383.tif 000003
【図２】
2007009383.tif 000004
【図３】
2007009383.tif 000005
【図４】
2007009383.tif 000006
【図５】
2007009383.tif 000007
【図６】
2007009383.tif 000008